(57)【要約】【課題】チョッキ全体を取り換えることなく、表示シートのみを取り換えて表示内容を容易に変更でき、しかも、大型の目立つ表示シートも使用できるようにする。【解決手段】チョッキ本体の表面に反射シート帯を固定して夜間被視認性を高めた安全チョッキにおいて、チョッキ本体又は反射シート帯の表面に面ファスナを固定し、表面に必要事項を表示し裏面に面ファスナを固定した表示シートを、チョッキ本体又は反射シート帯の表面の面ファスナに着脱自在に貼付することで、前記課題を解決する。【選択図】      図３
0003175499.tif 000002
【実用新案登録請求の範囲】
【請求項１】
チョッキ本体の表面に反射シート帯を固定して夜間被視認性を高めた安全チョッキにおいて、前記チョッキ本体又は反射シート帯の表面に面ファスナを固定し、表面に必要事項を表示し裏面に面ファスナを固定した表示シートを、前記チョッキ本体又は反射シート帯の表面の面ファスナに着脱自在に貼付したことを特徴とする安全チョッキ。
【請求項２】
前記表示シートが反射シート材でなる請求項１に記載の安全チョッキ。
【考案の詳細な説明】
【技術分野】
【０００１】
本考案は、夜間等の暗い環境下で被視認性に優れ、着用者の安全を確保するための安全チョッキに関する。
【背景技術】
【０００２】
夜間等の暗い工事現場等では、例えば路上走行する車両からの身の安全を確保するべく、作業員は表面に光を反射し、又は蛍光を発する反射シート帯を有する安全チョッキを着用し、車両からの視認性が確実になるようにしている。
【０００３】
この種の安全チョッキは、一般に、チョッキ着用者の社名、所属、担当業務、階級など必要な情報が表示された表示シートを取り付ける。このような表示シートは、例えば下記特許文献１に示されるように、チョッキに形成した透明窓の内部に収めて透視できるようにしたり、チョッキ表面に縫い付けて固定したりしていた。
【先行技術文献】
【特許文献】
【０００４】
【特許文献１】実開平７−１９３０９号公報
【考案の開示】
【考案が解決しようとする課題】
【０００５】
表示シートをチョッキ表面に縫い付けて固定すると、表示シートの表示内容を変更しようとしたときに、チョッキ全体を取り換えなければならず、使い勝手が悪かった。
前記従来の透明窓を設けた安全チョッキは、表示シートの表示内容を変更しようとするときに、表示シートだけを取り換えることができるので使い勝手がよいのであるが、使用可能な表示シートは小さなものに限られ、大型の目立つ表示シートを使用することは困難であった。
【０００６】
本考案は、チョッキ全体を取り換えることなく、表示シートのみを容易に取り換えて表示内容を容易に変更でき、しかも、大型の目立つ表示シートも使用できる安全チョッキを提供することを課題とするものである。
【課題を解決するための手段】
【０００７】
本考案は、チョッキ本体の表面に反射シート帯を固定して夜間被視認性を高めた安全チョッキにおいて、前記チョッキ本体又は反射シート帯の表面に面ファスナを固定し、表面に必要事項を表示し裏面に面ファスナを固定した表示シートを、前記チョッキ本体又は反射シート帯の表面の面ファスナに着脱自在に貼付したことを特徴とする安全チョッキである。
【０００８】
本考案の安全チョッキは、表示シートを面ファスナでチョッキに貼付したので、容易に着脱、交換ができる。面ファスナは、フック状に起毛された側とループ状に密集して起毛された側とを押し付けるとそれだけで貼り付くようになっており、貼り付けたり剥がしたりすることが自在にできる。
【０００９】
本考案において、反射シート帯は反射シート材でなる帯で、再帰反射材などの光を強く反射する素材や蓄光材などの発光する素材、又はこれらを組み合わせた素材で形成されたシート帯である。
【００１０】
本考案において、前記表示シートの素材を、反射シート材にすることができる。反射シート材は、前記のように、再帰反射材などの光を強く反射する素材や蓄光材などの発光する素材、又はこれらを組み合わせた素材で形成されたシートである。表示シートとして反射シート材を採用することで、夜間被視認性がさらに向上し、表示内容も明確に視認することができる。
【考案の効果】
【００１１】
本考案の安全チョッキは、チョッキ全体を取り換えることなく、表示シートのみを容易に取り換えて表示内容を容易に変更でき、しかも、大型の目立つ表示シートも使用できる。
【図面の簡単な説明】
【００１２】
【図１】実施形態の安全チョッキ１の斜視図である。
【図２】前身頃の説明図である。
【図３】後ろ身頃の説明図である。
【図４】表示シートを取り除いた後身頃の説明図である。
【図５】表示シートの説明図である。
【図６】被覆シートの説明図である。
【図７】被覆シートを貼付した後見頃の説明図である。
【考案を実施するための形態】
【００１３】
図１〜４に示す安全チョッキは、右前身頃２ａ、左前身頃２ｂ、後身頃３を面ファスナ８ａ〜８ｅで着脱自在に接続して構成している。チョッキ本体、すなわち右前身頃２ａ、左前身頃２ｂ、後身頃３の本体はメッシュ生地６で、各見頃の周囲は補強生地７を縁取り状に縫い付けて補強している。
【００１４】
図２に右前身頃２ａと左前身頃２ｂを示す。右前身頃２ａは概略Ｌ字を左右反転した形状をなし、表面には、縦方向に反射シート帯４ａが、下部（腰部）横方向に反射シート帯４ｅが固定されている。反射シート帯４ａには表裏貫通する多数の通気孔５が設けられている。上端部には面ファスナ８ａが、下部（腰部）左右端には面ファスナ８ｃ、８ｅが取り付けられている。
【００１５】
左前身頃２ｂは概略Ｌ字形状をなし、表面には、縦方向に反射シート帯４ｂが、下部（腰部）横方向に反射シート帯４ｆが固定されている。反射シート帯４ｂには表裏貫通する多数の通気孔５が設けられている。上端部には面ファスナ８ｂが、下部（腰部）左右端には面ファスナ８ｄ、８ｅが取り付けられている。なお、面ファスナ８ｅは裏側に取り付けられている。
【００１６】
図３，４に後身頃３を示す。図３は表示シート９を取り付けた状態、図４は取り外した状態である。後身頃３は、襟ぐりの左右の肩部が上方に突出し、下端の腰部が左右に突出した形状になっている。表面には、下端の腰部の全体に亘って水平方向に反射シート帯４ｇが固定され、両側の肩部上端から反射シート帯４ｇに至るまで概略Ｖ字状に反射シート帯４ｃ、４ｄが固定されている。反射シート帯４ｃ、４ｄには表裏貫通する多数の通気孔が設けられている。
【００１７】
両側の肩部上端の裏側に面ファスナ８ａ、８ｂが、腰部の左右端部の裏側に面ファスナ８ｃ、８ｄが取り付けられている。また、反射シート帯４ｃ、４ｄの中間部の表面側に、表示シート９を取り付けるための面ファスナ８ｆが取り付けられている。
【００１８】
右前身頃２ａと後身頃３は面ファスナ８ａ、８ｃで接続される。左前身頃２ｂと後身頃３は面ファスナ８ｂ、８ｄで接続される。右前身頃２ａと左前身頃２ｂは面ファスナ８ｅで接続される。このようにして各見頃が接続された安全チョッキ１は、前側及び後側にＶ字状の反射シート帯が構成され、また、腰回り全周にも反射シート帯が構成される。
【００１９】
表示シート９は反射シート帯と同じ反射シート材でなり、チョッキ着用者の社名、所属、担当業務、階級など必要な情報が表示されているものである。図５に示す例は、表面に担当業務の「玉掛者」が表示されている。担当業務としては、その他に「誘導員」「監視人」「作業指揮者」「安全衛生責任者」などがある。裏面には、面ファスナ８ｆが固定され、後身頃３の面ファスナ８ｆに着脱自在に貼着される。
【００２０】
図６に示すのは、被覆シート１０で、表側が反射シート材となっており、裏側に面ファスナ８ｇが固定されている。形状は後身頃の面ファスナ８ｆとほぼ同じ形、大きさになっている。本考案の安全チョッキに表示シート９を使用しない場合、図４に示すように表示シートを取り外した状態の後身頃３の面ファスナ８ｆに被覆シート１０を取り付けると、図７に示すように面ファスナ８ｆが反射シート材で覆われ、夜間被視認性が向上する。
【００２１】
本考案において、反射シート帯のチョッキ本体への固定方法、及び面ファスナのチョッキ本体又は反射シート帯への固定方法は、縫い付け、接着、溶着など自由である。
【００２２】
前記実施形態において、反射シート帯の通気孔は、通気性を改善し、着用者の蒸し暑さを低減するためのものであるが、本考案においては通気孔を有しない反射シート帯を用いてもよい。
【符号の説明】
【００２３】
１  安全チョッキ
２ａ、２ｂ  前身頃
３  後身頃
４ａ、４ｂ、４ｃ、４ｄ、４ｅ、４ｆ、４ｇ  反射シート帯
５  通気孔
６  メッシュ生地
７  補強生地
８ａ、８ｂ、８ｃ、８ｄ、８ｅ、８ｆ、８ｇ  面ファスナ
９  表示シート
１０  被覆シート
【図１】
0003175499.tif 000003
【図２】
0003175499.tif 000004
【図３】
0003175499.tif 000005
【図４】
0003175499.tif 000006
【図５】
0003175499.tif 000007
【図６】
0003175499.tif 000008
【図７】
0003175499.tif 000009